(57)【特許請求の範囲】
【請求項１】
バスバと、互いの間に前記バスバが挿入される一対の壁部を有するバスバ取付部と、を備えたバスバ取付構造において、
前記一対の壁部の一部が対向方向に重ならないように、前記一対の壁部の縁が互いにズレている
ことを特徴とするバスバ取付構造。
【請求項２】
前記バスバ取付部が、前記一対の壁部が立設される底壁部をさらに有し、
前記一対の壁部の底壁部から離れた縁部が互いにズレている
ことを特徴とする請求項１に記載のバスバ取付構造。
【請求項３】
前記バスバが、長尺状に設けられると共に長手方向の端部に前記一対の壁部よりも外側に突出する端子が設けられ、
前記一対の壁部の長手方向の縁部が互いにズレている
ことを特徴とする請求項１又は２に記載のバスバ取付構造。
【発明の詳細な説明】
【技術分野】
【０００１】
本発明は、バスバ取付構造に係り、特に、バスバと、互いの間に前記バスバが挿入される一対の壁部を有するバスバ取付部と、を備えたバスバ取付構造に関するものである。
【背景技術】
【０００２】
上述したバスバ取付構造として、例えば、図１０及び図１１に示されたものが考えられる（例えば特許文献１〜６）。同図に示すように、バスバ取付構造１００は、バスバ１０１と、互いの間にバスバ１０１が挿入される一対の壁部１０２を有するバスバ取付部としての樹脂製のハウジング１０３と、を備えている。
【０００３】
上記バスバ１０１は、平板状の金属板で形成されている。上記一対の壁部１０２は、バスバ１０１と平行に配置された一対の壁部本体１０２ａと、一対の壁部本体１０２ａの各々から互いに近づく方向に突出された複数対のリブ１０２ｂと、から構成されている。この対となるリブ１０２ｂ間にバスバ１０１が挿入されている。
【０００４】
また、上記一対の壁部１０２の縁には開口が設けられていて、その開口からバスバ１０１が一対の壁部１０２間に挿入される。上述した一対の壁部１０２は、互いに同じ高さに設けられていて、バスバ１０１の挿入方向手前側の縁がフラットになっている。
【０００５】
このようなハウジング１０３は、合成樹脂を射出成形等することにより形成される。しかしながら、このハウジング１０３の樹脂成形には、寸法誤差が発生しやすく、狙った寸法で形成することが難しい。このため、一対の壁部本体１０２ａ間が近づく方向に一対の壁部本体１０２ａに反りが発生したり、一対の壁部１０２同士の一部がくっついてしまうことがあった。
【０００６】
そこで、一対の壁部１０２を互いに離す方向に押し広げながらバスバ１０１を挿入する必要がある。しかしながら、従来のハウジング１０３は、バスバ１０１の挿入方向手前側の端部がフラットになっているため、治具を開口から一対の壁部１０２間に挿入して押し広げる必要があり、手で押し広げることが難しく、作業が煩雑である、という問題があった。
【先行技術文献】
【特許文献】
【０００７】
【特許文献１】特開２００７−２８８９７６号公報
【特許文献２】特開平７−３２０６２７号公報
【特許文献３】特開平８−３７７１７号公報
【特許文献４】特開平１１−４１７４９号公報
【特許文献５】特開平９−２３３６４８号公報
【特許文献６】特開平９−１５４２１７号公報
【発明の概要】
【発明が解決しようとする課題】
【０００８】
そこで、本発明は、手で簡単に一対の壁部間を押し広げることができ、バスバの挿入性向上を図ったバスバ取付構造を提供することを課題とする。
【課題を解決するための手段】
【０００９】
上述した課題を解決するための請求項１記載の発明は、バスバと、互いの間に前記バスバが挿入される一対の壁部を有するバスバ取付部と、を備えたバスバ取付構造において、前記一対の壁部の一部が対向方向に重ならないように、前記一対の壁部の縁が互いにズレていることを特徴とするバスバ取付構造に存する。
【００１０】
請求項２記載の発明は、前記バスバ取付部が、前記一対の壁部が立設される底壁部をさらに有し、前記一対の壁部の底壁部から離れた縁部が互いにズレていることを特徴とする請求項１に記載のバスバ取付構造に存する。
【００１１】
請求項３記載の発明は、前記バスバが、長尺状に設けられると共に長手方向の端部に前記一対の壁部よりも外側に突出する端子が設けられ、前記一対の壁部の長手方向の縁部が互いにズレていることを特徴とする請求項１又は２に記載のバスバ取付構造に存する。
【発明の効果】
【００１２】
以上説明したように請求項１記載の発明によれば、一対の壁部の一部が対向方向に重ならないように、一対の壁部の縁が互いにズレているので、一対の壁部のうち一方の内側面が露出されるため、その露出した内側面に手又はバスバを当てて簡単に一対の壁部間を押し広げながら一対の壁部間にバスバを挿入することができる。よって、一対の壁部間を押し広げるのに治具などを用いる必要がなく、バスバの挿入性の向上を図ることができる。
【００１３】
請求項２記載の発明によれば、一対の壁部の底壁部から離れた側の縁部が互いにズレているので、一対の壁部のうち一方の底壁部から離れた側の内壁面が露出されているため、その露出した内側面に手又はバスバを当てて簡単に一対の壁部間を押し広げながら一対の壁部間にバスバを挿入することができる。
【００１４】
請求項３記載の発明によれば、一対の壁部の長手方向の縁部が互いにズレているので、一対の壁部のうち一方の長手方向の端部の内壁面が露出されるため、その露出した内側面に手又はバスバを当てて簡単に一対の壁部間を押し広げながら一対の壁部間にバスバを挿入することができる。
【図面の簡単な説明】
【００１５】
【図１】第１実施形態における本発明のバスバ取付構造としてのジョイントバスバを組み込んだリレーボックスの上面図である。
【図２】図１に示すジョイントバスバの斜視図である。
【図３】図１に示すジョイントバスバの側面図である。
【図４】図２に示すジョイントバスバを構成するバスバの斜視図である。
【図５】図１に示すジョイントバスバの部分拡大図である。
【図６】図１に示すジョイントバスバを構成する絶縁カバーの部分拡大図である。
【図７】第２実施形態における本発明のバスバ取付構造としての電気接続箱の部分斜視図である。
【図８】図７の部分拡大図である。
【図９】図７のＩ−Ｉ線断面図である。
【図１０】従来のバスバ取付構造の一例を示す部分斜視図である。
【図１１】図１０に示すバスバ取付構造の部分拡大図である。
【発明を実施するための形態】
【００１６】
第１実施形態
以下、第１実施形態における本発明のバスバ取付構造を図面に基づいて説明する。図１に示すように、第１実施形態では本発明のバスバ取付構造は、リレーボックス１に収容された複数のリレーブロック２１、２２同士を電気的に接続するジョイントバスバ３として用いられている。
【００１７】
上述したリレーブロック２１、２２は、複数の図示しないリレーやヒューズと、これらリレーやヒューズを収容するハウジングなどから構成されていて、互いに上下２段に分割配置されている。これらリレーブロック２１、２２の上面に後述するジョイントバスバ３との接続部が設けられている。
【００１８】
上記ジョイントバスバ３は、図２及び図３に示すように、バスバ４と、バスバ４に取り付けられるバスバ取付部としての絶縁カバー５と、を備えている。上記バスバ４は、図４に示すように、金属板を打ち抜いてプレス加工を施すことによって形成している。上記バスバ４は、長尺の帯状に設けられて、その長手方向の両端部に上述したリレーブロック２１、２２と接続するための端子４１、４２が設けられている。
【００１９】
上記バスバ４は、リレーブロック２１、２２の上面に設けた接続部に合わせて端子４１、４２が互いに上下に配置されるように、バスバ４の中央部が略Ｕ字状に折り曲げ加工されている。このように中央部を略Ｕ字状に設けることにより、バスバ４の両端に設けた端子４１、４２が互いに接離する方向（図３中矢印Ｙ１に示す）及び上下方向にバスバ４が弾性変形しやすくなっている。
【００２０】
上記絶縁カバー５は、図２及び図３に示すように、絶縁性の樹脂により形成されている。上記絶縁カバー５は、底壁部５１と、底壁部５１の両端から立設された一対の壁部５２、５３と、から構成されている。上記底壁部５１は、バスバ４の中央部に沿って略Ｕ字状に形成されている。上記一対の壁部５２、５３は、互いの間にバスバ４の中央部が挿入され、バスバ４に対して平行に設けられている。
【００２１】
上記一対の壁部５２、５３の底壁部５１から離れた縁部には開口が設けられていて、その開口からバスバ４が一対の壁部５２、５３間に挿入される。さらに、一対の壁部５２、５３の長手方向の縁部にも開口が設けられていて、上記バスバ４の両端に設けた端子４１、４２がその開口から一対の壁部５２、５３よりも外側に突出するように設けられている。
【００２２】
また、一対の壁部５２とバスバ４との間には隙間Ｓが設けられていて、絶縁カバー５内でバスバ４が弾性変形できるようになっている。このようにバスバ４を弾性変形可能とすることにより、加振時に別々の動きをするリレーブロック２１、２２に対して振動に対する緩和や振動における部品の負担を軽減することができる。
【００２３】
また、上述した絶縁カバー５は、図５及び図６に示すように、一対の壁部５２、５３の一部が対向方向に重ならないように、一対の壁部５２、５３の長手方向の縁部５２ａ及び５３ａが互いにズレている。詳しくは、壁部５３の長手方向の寸法を壁部５２の長手方向の寸法より短く設けることにより、縁部５２ａ及び５３ａを互いにずらしている。
【００２４】
また、上述した絶縁カバー５は、一対の壁部５２、５３の一部が対向方向に重ならないように、一対の壁部５２、５３の底壁５１から離れた縁部５２ｂ及び５３ｂが互いにズレている。詳しくは、壁部５３の一部の高さを壁部５２の高さより低く設けることにより、縁部５２ａ及び５３ａを互いにずらしている。
【００２５】
このように、一対の壁部５２、５３の一部が対向方向に重ならないように、一対の壁部５２、５３の縁部５２ａ及び５３ａ、５２ｂ及び５３ｂをずらすことによって、図６に示すように、壁部５２の内側面が露出される。この露出された壁部５２の内側面に指が当てられるくらい縁部５２ａ及び５３ａ、５２ｂ及び５３ｂをずらすのが好ましい。
【００２６】
これにより、たとえ絶縁カバー５の成形誤差により、一対の壁部５２、５３に互いに近づくような反りが発生したり一対の壁部５２、５３同士がくっついてしまっても、この露出された内側面にバスバ４を押し当てるか、又は、指を当てて手で簡単に一対の壁部５２、５３間を押し広げながら一対の壁部５２、５３間にバスバ４を挿入することができる。よって、一対の壁部５２、５３間を押し広げるのに治具などを用いる必要がなく、バスバ４の挿入性の向上を図ることができる。
【００２７】
なお、上述した第１実施形態では、縁部５２ａ及び５３ａ、縁部５２ｂ及び５３ｂの双方をずらしていたが、本発明はこれに限ったものではない。一対の壁部５２、５３の縁部であればどこをずらしてもよく、例えば縁部５２ａ及び５３ａのみをずらしてもよいし、縁部５２ｂ及び５３ｂのみをずらしてもよい。また、一対の壁部５２、５３の長手方向の中央の縁部をずらすようにしてもよい。
【００２８】
また、上述した第１実施形態では、一対の壁部５２、５３の縁部の一部をずらしていたが、本発明はこれに限ったものではない。一対の壁部５２、５３の一部が対向方向に重ならないように壁５２、５３の縁部の全部をずらしてもよい。
【００２９】
第２実施形態
なお、上述した第１実施形態では、ジョイントバスバ３に本発明のバスバ取付構造を用いていたが、本発明はこれに限ったものではない。例えば、図７〜図９に示すようにバスバ４を収容する電気接続箱６に本発明のバスバ取付構造を用いても良い。同図に示すように、電気接続箱６は、バスバ４と、このバスバ４を収容するバスバ取付部としてのハウジング７と、から構成されている。
【００３０】
上記バスバ４は、平板状の金属板から構成されている。上記ハウジング７は、互いの間にバスバ４を挿入する一対の壁部７１、７２が設けられている。一対の壁部７１、７２は、互いに平行に配置された一対の壁部本体７ａと、壁部本体７ａから互いに近づく方向に突出する複数対のリブ７ｂと、から構成されていている。一対の壁部本体７ａは、バスバ４に対して平行に設けられている。また、複数対のリブ７ｂは、バスバ４に対して垂直に設けられている。上記一対の壁部７１、７２の上側の縁部には開口が設けられていて、その開口からバスバ４が一対の壁部７１、７２間に挿入される。
【００３１】
上述したハウジング７は、一対の壁部７１、７２の一部が対向方向に重ならないように、一対の壁部５２、５３の上側の縁部が互いにズレている。詳しくは、壁部７２の高さを壁部７１の高さよりも低く設けることにより、縁部を互いにずらしている。これによって、壁部７１の内側面が露出される。
【００３２】
この場合も第１実施形態と同様に、たとえハウジング７の成形誤差により、一対の壁部７１、７２に互いに近づくような反りが発生したり一対の壁部７１、７２同士がくっついてしまっても、この露出された内側面にバスバ４又は指を当てて手で簡単に一対の壁部７１、７２間を押し広げながら一対の壁部７１、７２間にバスバ４を挿入することができる。よって、一対の壁部７１、７２間を押し広げるのに治具などを用いる必要がなく、バスバ４の挿入性の向上を図ることができる。
【００３３】
また、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００３４】
３          ジョイントバスバ（バスバ取付構造）
４          バスバ
４１、４２  端子
５          絶縁カバー（バスバ取付部）
５１        底壁部
５２、５３  一対の壁部
７１、７２  一対の壁部
【図１】
0005511495.tif 000002
【図２】
0005511495.tif 000003
【図３】
0005511495.tif 000004
【図４】
0005511495.tif 000005
【図５】
0005511495.tif 000006
【図６】
0005511495.tif 000007
【図７】
0005511495.tif 000008
【図８】
0005511495.tif 000009
【図９】
0005511495.tif 000010
【図１０】
0005511495.tif 000011
【図１１】
0005511495.tif 000012